(57)【要約】【課題】  錘体の取着及び取外しが容易な振動モータの提供。【解決手段】振動モータ１は、モータ本体１０から突出したモータ軸１２が圧入可能な軸孔３２を持つボス部３４及び軸孔に対して平行離間した軸線Ｌのスラスト方向に延びる偏心連結部３６を一体的に備えたプラスチック製の連結媒介体３０と、スラスト方向の一方端面４１側から他方端面４２側の途中位置にまで形設された受け溝４３を備えた錘体４０とを有し、受け溝の溝４３の内側面４３ｂのうち溝口部位において溝幅が受け溝４３の直径よりも縮小して成る庇部分４３ａ，４３ａを備えている。偏心連結部３６を一方端面４１側から受け溝４３に圧入し、モータ軸１２を他方端面４２側から軸孔３２に圧入して成る。【選択図】      図２
2005261099.tif 000002
【特許請求の範囲】
【請求項１】
モータ本体から突出したモータ軸が圧入可能な軸孔を持つボス部及び前記軸孔に対して平行離間した軸線のスラスト方向に延びる偏心連結部を一体的に備えたプラスチック製連結媒介体と、スラスト方向の一方端面側から他方端面側の途中位置にまで形設された受け溝を備えた錘体とを有し、前記受け溝は溝底から溝口へ巡る溝内側面のいずれかの部位において溝底側の溝幅に比し溝口側の溝幅が縮小して成る縮幅部分を備え、前記偏心連結部を前記一方端面側から前記錘体の前記受け溝に圧入し、前記モータ軸を前記他方端面側から前記軸孔に圧入して成ることを特徴とする振動モータ。
【請求項２】
請求項１において、前記偏心連結部は略一様断面であって、前記受け溝はその断面が前記一方端面側から前記他方端面側にかけて次第に縮小した先細状溝であることを特徴とする振動モータ。
【請求項３】
請求項１又は請求項２において、前記ボス部は隙間を空けた一対の離間ボス部であることを特徴とする振動モータ。
【発明の詳細な説明】
【技術分野】
【０００１】
本発明は、モータ軸に錘体を取着した振動モータに関し、特に、錘体の取着及び取外しが容易な振動モータに関する。
【背景技術】
【０００２】
従来一般に、振動モータにおいて、タングステン粉末等の成形焼結体としての偏心錘をモータ軸に取着する方法は、偏心錘においてスラスト方向に成形された軸受け溝にモータ軸を収めてから軸受け溝の両側に突出した挟着用突片を工具等で溝側に塑性変形させてモータ軸を加締固定することが一般的である。
【発明の開示】
【発明が解決しようとする課題】
【０００３】
しかしながら、上記加締固定法では偏心錘に一体的に形成されている挟着用突片を溝側へ塑性変形するものであることから、使用済み振動モータにおける偏心錘の取外しには、挟着用突片の戻し塑性変形を必要とし、加工硬化等により挟着用突片の割れや損傷等が生じ、回収した偏心錘の再利用が困難である。
【０００４】
そこで、上記問題点に鑑み、本発明の課題は、錘体の取着及び取外しが容易で、錘体の再利用が可能な振動モータを提供することにある。
【課題を解決するための手段】
【０００５】
上記課題を解決するため、本発明に係る振動モータは、モータ本体から突出したモータ軸が圧入可能な軸孔を持つボス部及び軸孔に対して平行離間した軸線のスラスト方向に延びる偏心連結部を一体的に備えたプラスチック製連結媒介体と、スラスト方向の一方端面側から他方端面側の途中位置にまで形設された受け溝を備えた錘体とを有し、受け溝は溝底から溝口へ巡る溝内側面のいずれかの部位において溝底側の溝幅に比し溝口側の溝幅が縮小して成る縮幅部分を備え、偏心連結部を一方端面側から錘体の受け溝に圧入し、モータ軸を他方端面側から軸孔に圧入して成ることを特徴とする。
【０００６】
振動モータの組立時においては、まず連結媒介体の偏心連結部を錘体の一方端面側から受け溝に圧入し、錘体の一方端面側に板等を当てた状態でモータ軸を錘体の他方端面側から軸孔に圧入することにより、錘体がモータ軸に対して抜け止めされると同時に回り止めされる。受け溝が溝底から溝口へ巡る溝内側面のいずれかの部位において溝底側の溝幅に比し溝口側の溝幅が縮小して成る縮幅部分を備えているため、連結媒介体の偏心連結部は受け溝からラジアル方向には外れない。
【０００７】
錘体の回収時においては、ボス部の軸孔からモータ軸を抜き出し、錘体の受け溝からスラスト方向に偏心連結部を抜き出すことができ、錘体の再利用は勿論のこと、モータ本体の再利用も可能となる。特に、連結媒介体がプラスチック製であって多少の弾性を有するため、両圧入操作によってもモータ軸及び受け溝に擦過傷の生じることがない。
【０００８】
受け溝を持つ錘体の成形では金型をスラスト方向へ抜型する必要があることから、金型の抜き勾配を利用して、受け溝はその断面が一方端面側から他方端面側にかけて次第に縮小した先細状とすることが望ましい。逆に、偏心連結部は略一様断面とするのが良い。
【０００９】
ボス部としては隙間を空けた一対の離間ボス部であることが望ましい。モータ軸を軸孔から引き抜く際に、隙間に工具等を引っ掛けることができ、引き抜き作業の容易化に資する。
【発明の効果】
【００１０】
本発明は、錘体の取着及び取外しが容易で、錘体の再利用が可能な振動モータを提供できる。また、モータ本体の再利用も可能である。
【発明を実施するための最良の形態】
【００１１】
次に、本発明の実施形態を添付図面に基づいて説明する。
【実施例】
【００１２】
図１は本発明の実施例に係る振動モータを示す斜視図、図２は同振動モータの組立斜視図、図３（ａ）は同振動モータの平面図、図３（ｂ）は同振動モータの正面図、図３（ｃ）は同振動モータの側面図である。
【００１３】
本例の振動モータ１は、モータ本体１０と、モータ本体１０から長く突出したモータ軸１２に取着する偏心錘２０とから成る。この偏心錘２０はプラスチック製の連結媒介体３０と錘体４０とから成る。
【００１４】
連結媒介体３０は、モータ軸１２が圧入可能な軸孔３２を持つ一対の離間ボス部３４，３４と、軸孔３２に対して平行離間した軸線Ｌのスラスト方向に延びる円柱周面を持つ偏心連結部３６とを一体的に備えている。一対の離間ボス部３４，３４の間には隙間３８が形成されている。偏心連結部３６の直径はボス部３４の直径よりも大きく、偏心連結部３６の断面はほぼ一様となっている。
【００１５】
錘体４０は、スラスト方向の一方端面４１側から他方端面４２側の途中位置にまで形設された受け溝４３を備え、この受け溝４３は偏心連結部３６がスラスト方向に圧入可能なＣ字溝であって、溝底から溝口へ巡る溝内側面４３ｂのうち溝口部位において溝幅が受け溝４３の直径よりも縮小して成る庇部分（縮幅部分）４３ａ，４３ａを備えている。受け溝４３の断面は一方端面４１側から他方端面４２側にかけて次第に縮小した緩い先細状溝である。
【００１６】
このような構成において、振動モータの組立時では、まず連結媒介体３０の偏心連結部３６を錘体４０の一方端面４１面から受け溝４３に圧入し、錘体４０の一方端面４１側に板等を当てた状態でモータ軸１２を錘体４０の他方端面４２面から軸孔３２に圧入することにより、錘体４０がモータ軸１２に対して抜け止めされると同時に回り止めされる。受け溝４３が溝底から溝口へ巡る溝内側面４３ｂのうち溝口部位において溝幅が受け溝４３の直径よりも縮小して成る庇部分４３ａ，４３ａを備えているため、連結媒介体３０の偏心連結部３６は受け溝４３からラジアル方向には外れない。
【００１７】
なお、受け溝４３を他方端面４２側の途中位置までしか形成しなかったのは、連結媒介体３０のスラスト方向の位置合わせと、万が一、錘体４０がスラスト方向に脱落しそうになっても、錘体４０がモータ本体１０に当り、抜け落ちるのを防止できるためである。
【００１８】
錘体４０の回収時においては、ボス部３４の軸孔３２からモータ軸１２を抜き出し、錘体４０の受け溝４３からスラスト方向に偏心連結部３６を抜き出すことができ、錘体４０の再利用は勿論のこと、モータ本体１０の再利用も可能となる。特に、連結媒介体３０がプラスチック製であって多少の弾性を有するため、両圧入操作によってもモータ軸１２及び受け溝４３に擦過傷の生じることがない。
【００１９】
ここで、受け溝４３を持つ錘体４０の成形では金型をスラスト方向へ抜型する必要があることから、金型の抜き勾配を利用して、受け溝４３はその断面が一方端面４１側から他方端面４２側にかけて次第に縮小した先細状とすることができる。
【００２０】
モータ軸１２を軸孔３２から引き抜く際に、一対の離間ボス部３４，３４の間の隙間３８に工具等を引っ掛けることができ、引き抜き作業の容易化に資する。
【００２１】
なお、受け溝４３の断面形状は上記実施例の形状のように円弧である必要はなく、受け溝４３をアリ溝としても良い。要は、受け溝が溝底から溝口へ巡る溝内側面のいずれかの部位において溝底側の溝幅に比し溝口側の溝幅が漸縮又は急縮して成る縮幅部分を備えていれば良く、縮幅部分が連結媒介体自身の倒れ止め部（又は回り止め部）となるため、モータ軸の軽圧入だけでも錘体をガタ付きなく回り止めすることができる。
【図面の簡単な説明】
【００２２】
【図１】本発明の実施例に係る振動モータを示す斜視図である。
【図２】同振動モータの組立斜視図である。
【図３】（ａ）は同振動モータの平面図、（ｂ）は同振動モータの正面図、（ｃ）は同振動モータの側面図である。
【符号の説明】
【００２３】
１…振動モータ
１０…モータ本体
１２…モータ軸
２０…偏心錘
３０…連結媒介体
３２…軸孔
３４…ボス部
３６…偏心連結部
３８…隙間
４０…錘体
４１…一方端面
４２…他方端面
４３…受け溝
４３ａ…庇部分（縮幅部分）
４３ｂ…溝内側面
Ｌ…軸線
【図１】
2005261099.tif 000003
【図２】
2005261099.tif 000004
【図３】
2005261099.tif 000005